【手続補正書】
【提出日】平成19年4月10日(2007.4.10)
【手続補正１】
【補正対象書類名】特許請求の範囲
【補正対象項目名】全文
【補正方法】変更
【補正の内容】
【特許請求の範囲】
【請求項１】
個人の訓練に用いられる方法であって、
標準訓練プログラムおよび作業者向け訓練情報を提供するステップであって、前記作業者向け訓練情報が少なくとも一つの作業現場条件に応じた複数の異なる訓練対象物の各々に対応する情報を含むステップと、
作業現場に関連付けられた作業現場情報であって、
複数の訓練生を識別する訓練生識別情報であって、前記複数の訓練生の各々が、前記作業現場に関連付けられた少なくとも一つの作業現場条件に応じた複数の異なる訓練対象物のうち少なくとも一つの訓練対象物に関して訓練を受けるようにする訓練生識別情報と、
前記複数の訓練生の各々に対する連携情報であって、前記訓練生と前記少なくとも一つの訓練対象物とを関連付ける連携情報と
を含む作業現場情報を一名以上の管理者が提供できるようにするステップと、
前記複数の訓練生の各々に対し、前記各々の訓練生に前記標準訓練プログラムへのアクセスを許す識別コードを割り当てるステップであって、前記識別コードが前記各々の訓練生に対し一意であるステップと、
前記少なくとも一名の訓練生の少なくとも前記識別コードおよび前記連携情報に基づいて前記作業者向け訓練情報から選択された少なくとも一つの訓練対象物に対応する訓練情報が関連付けられた前記標準訓練プログラムを使用する前記複数の訓練生のうち少なくとも一名にユーザー・インターフェースを提供するステップと、を含む方法。
【請求項２】
少なくとも一つの作業現場条件に応じた複数の異なる訓練対象物の各々に対応する前記情報が、有害環境の複数の異なる種類の各々に対応する情報を含む、請求項１に記載の方法。
【請求項３】
少なくとも一つの作業現場条件に応じた複数の異なる訓練対象物の各々に対応する前記情報が、１つの種類の安全器具の複数の異なる構成の各々に対応する情報を含む、請求項１に記載の方法。
【請求項４】
個人の訓練に使用するコンピュータ実装されたシステムであって、
一つ以上のデータベースと通信可能であり、一台以上のユーザーのコンピュータ装置と通信可能な、少なくとも一つのアプリケーション・サーバーと、
標準訓練プログラムと、
前記データベースのうち少なくとも一つに格納された作業者向け訓練情報であって、少なくとも一つの作業現場条件に応じた複数の異なる訓練対象物の各々に対応する情報を含む作業者向け訓練情報と、を含み、
前記コンピュータ実装されたシステムが、
一名以上の管理者に対し、前記少なくとも一つのアプリケーション・サーバーへのアクセス権を付与して、前記一名以上管理者が作業現場に関連付けられた作業現場情報を提供できるように構成された、前記ユーザーのコンピュータ装置のうち少なくとも一つに管理用インターフェースを提供することが可能であって、
前記作業現場情報が、
複数の訓練生を識別する訓練生識別情報であって、前記複数の訓練生の各々が、前記作業現場に関連付けられた少なくとも一つの作業現場条件に応じた複数の訓練対象物のうち少なくとも一つの訓練対象物に関して訓練を受けるようにする訓練生識別情報と、
前記複数の訓練生の各々に対する連携情報であって、前記訓練生と前記少なくとも一つの訓練対象物とを関連付ける連携情報と、を含み、
前記コンピュータ実装されたシステムが、
前記複数の訓練生の各々に対する、前記各々の訓練生に前記アプリケーション・サーバーへのアクセスを許す識別コードの割り当てであって、前記識別コードが前記各々の訓練生に対し一意である、割り当てと、
前記少なくとも一名の訓練生の少なくとも前記識別コードおよび連携情報に基づいて前記作業者向け訓練情報から選択された少なくとも一つの訓練対象物に対応する訓練情報が関連付けられた前記標準訓練プログラムを使用する前記複数の訓練生のうち少なくとも一名の訓練に用いるべく構成されたユーザー・インターフェースと、を提供するコンピュータ実装されたシステム。
【請求項５】
少なくとも一つの作業現場条件に応じた複数の異なる訓練対象物の各々に対応する前記情報が、有害環境の複数の異なる種類の各々に対応する情報を含む、請求項４に記載のシステム。
【請求項６】
少なくとも一つの作業現場条件に応じた複数の異なる訓練対象物の各々に対応する前記情報が、１つの種類の安全器具の複数の異なる構成の各々に対応する情報を含む、請求項４に記載のシステム。
【請求項７】
標準訓練プログラムおよび作業者向け訓練情報を用いて提供された、個人を訓練するために用いられるユーザー・インテーフェースであって、前記作業者向け訓練情報が、少なくとも一つの作業現場条件に応じた複数の異なる訓練対象物の各々に対応する情報を含み、前記ユーザー・インテーフェースが、作業現場に関連付けられた作業現場情報を提供することを一名以上の管理者に許す管理用インターフェースを含み、
前記作業現場情報が、
複数の訓練生を識別する訓練生識別情報であって、前記複数の訓練生の各々が前記作業現場に関連付けられた少なくとも一つの作業現場条件に応じた複数の訓練対象物のうち少なくとも一つの訓練対象物に関して訓練を受けるようにする訓練生識別情報と、
前記複数の訓練生の各々に対する連携情報であって、前記訓練生と前記少なくとも一つの訓練対象物とを関連付ける連携情報と、を含み、
さらに、前記複数の訓練生の各々に対し、前記各々の訓練生に前記標準訓練プログラムへのアクセスを許す識別コードが割り当てられていて、前記作業者向け訓練情報から選択された少なくとも一つの訓練対象物に対応する訓練情報が関連付けられた前記標準訓練プログラムを用いるユーザー・インターフェースの提供において、少なくとも一名の訓練生の少なくとも識別コードおよび連携情報を用いるユーザー・インターフェース。
【請求項８】
少なくとも一つの作業現場条件に応じた複数の異なる訓練対象物の各々に対応する前記情報が、有害環境の複数の異なる種類の各々に対応する情報を含む、請求項７に記載のユーザー・インターフェース。
【請求項９】
少なくとも一つの作業現場条件に応じた複数の異なる訓練対象物の各々に対応する前記情報が、１つの種類の安全器具の複数の異なる構成の各々に対応する情報を含む、請求項７に記載のユーザー・インターフェース。
【請求項１０】
オンライン訓練システムであって、
ユーザーのコンピュータ装置と、
一つ以上のデータベースと通信可能であって、さらにユーザーのコンピュータ装置と通信可能な、少なくとも一つのアプリケーション・サーバーと、
標準訓練プログラムと、
前記一つ以上データベースのうち少なくとも一つに格納された作業者向け訓練情報であって、少なくとも一つの作業現場条件に応じた複数の異なる訓練対象物の各々に対応する情報を含む作業者向け訓練情報と、を含み、
前記オンライン訓練システムが、前記アプリケーション・サーバーの利用を通じて、
一名以上の管理者に対し、前記アプリケーション・サーバーへのアクセス権を付与して、前記一名以上管理者が作業現場に関連付けられた作業現場情報を提供できる管理用インターフェースであって、前記作業現場情報が、
複数の訓練生を識別する訓練生識別情報であって、前記複数の訓練生の各々が、前記少なくとも一つの作業現場に関連付けられた少なくとも一つの作業現場条件に応じた複数の訓練対象物のうち少なくとも一つの訓練対象物に関して訓練を受けるようにする訓練生識別情報と、
前記複数の訓練生の各々に対する連携情報と、
を含み、前記連携情報が前記訓練生と前記少なくとも一つの訓練対象物とを関連付けるとともに、前記各々の訓練生が前記標準訓練プログラムにアクセスできるように前記複数の訓練生の各々に対して識別情報が割り当てられている、管理用インターフェースと、
前記少なくとも一名の訓練生の、少なくとも前記識別コードおよび連携情報に基づいて、前記作業者向け訓練情報から選択された少なくとも一つの訓練対象物に対応する訓練情報が関連付けられた前記標準訓練プログラムを使用する少なくとも一名の訓練生の訓練に用いる前記ユーザーのコンピュータ装置を用いて提供されるユーザー・インターフェースと、を提供するオンライン訓練システム。
【請求項１１】
複数の異なる訓練対象物の各々に対応する前記情報は、１つの種類の安全器具の複数の異なる構成の各々に対応する情報を含み、
１つの種類の安全器具の複数の異なる構成の各々に対応する前記情報が、呼吸用保護具の複数の構成の各々に対応する情報を含む、請求項１０に記載のシステム。
【請求項１２】
前記ユーザー・インターフェースが、前記少なくとも一名の訓練生が訓練を受ける少なくとも一つの訓練対象物に対応する前記訓練情報の少なくとも一部を表示して、前記少なくとも一名の訓練生に対し、前記訓練情報の一部に関して一件以上の応答を返すよう要求する、請求項１０に記載のシステム。
【請求項１３】
前記訓練物は安全器具を含み、前記ユーザー・インターフェースが、前記安全器具の保守に関係する情報を提供し、前記安全器具の説明を表示し、または、前記安全器具の着用に関する情報を表示する、請求項１０に記載のシステム。
【請求項１４】
前記安全器具が呼吸用保護具である、請求項１３に記載のシステム。